(57)【要約】【課題】桝本体に対するメンテナンス作業を行うことができながら、掘削範囲を小さくして、掘削土量の低減を図り、掘削作業の簡素化を図ること。【解決手段】地表面２側に配置された点検用人孔５と、点検用人孔５よりも深い位置に埋設された埋設配管３に接続された桝本体４１と、その桝本体４１から地表面２側に延びる立ち上がり部４２とを有する桝４とが備えられ、立ち上がり部４２は、点検用人孔５よりも小口径に形成され、桝本体４１と点検用人孔５の内部とを連通接続する状態で設置されている。【選択図】図１
2020007861.tif 000002
【特許請求の範囲】
【請求項１】
地表面側に配置された点検用人孔と、
前記点検用人孔よりも深い位置に埋設された埋設配管に接続された桝本体と、その桝本体から地表面側に延びる立ち上がり部とを有する桝とが備えられ、
前記立ち上がり部は、前記点検用人孔よりも小口径に形成され、前記桝本体と前記点検用人孔の内部とを連通接続する状態で設置されている桝の設置構造。
【請求項２】
前記立ち上がり部の上端部が、前記点検用人孔の下端部に連通接続され、
前記立ち上がり部の上端部を閉塞する立ち上がり部用の蓋が備えられ、
前記点検用人孔は、地表面に開口する上部開口部を閉塞する人孔用の蓋部と、昇降用のタラップとが備えられている請求項１に記載の桝の設置構造。
【請求項３】
請求項１又は２に記載の桝の設置構造を構築する桝の設置構造の構築方法であって、
前記点検用人孔、前記立ち上がり部、及び、前記桝本体を地中内に埋設するための掘削範囲を掘削する掘削ステップと、
前記掘削範囲に前記桝本体及び前記立ち上がり部を設置する第１設置ステップと、
前記掘削範囲において、前記第１設置ステップにて設置された前記立ち上がり部の上端部に相当する高さを第１埋め戻し高さとし、その第１埋め戻し高さまでを埋め戻す第１埋め戻しステップと、
前記掘削範囲のうち、前記第１埋め戻し高さよりも上方側に前記点検用人孔を設置する第２設置ステップと、
前記掘削範囲において、前記第１埋め戻し高さから地表面までを埋め戻す第２埋め戻しステップとを有する桝の設置構造の構築方法。
【発明の詳細な説明】
【技術分野】
【０００１】
本発明は、埋設配管に接続された桝本体と、その桝本体から地表面側に延びる立ち上がり部とを有する桝を設置する桝の設置構造、及び、桝の設置構造の構築方法に関する。
【背景技術】
【０００２】
このような桝の設置構造として、埋設配管に接続された桝本体とその桝本体から地表面側に延びる立ち上がり部とを有する桝と、立ち上がり部の上端部を閉塞する立ち上がり部用の蓋部とが備えられているものがある（例えば、特許文献１参照。）。この特許文献１に記載の設置構造では、立ち上がり部が、その上端部が地表面付近に位置するように配置され、立ち上がり部の上端部を覆う状態で保護筐が地表面に備えられている。
【０００３】
また、別の桝の設置構造として、内部に作業者が入ることが可能な点検用人孔が備えられ、点検用人孔の内部の下方側端部に、埋設配管に接続された桝本体とその桝本体から地表面側に延びる立ち上がり部とを有する桝が備えられているものがある（例えば、特許文献２参照。）。
【先行技術文献】
【特許文献】
【０００４】
【特許文献１】特開平９−１８９０６９号公報
【特許文献２】特開２００６−１６１３２９号公報
【発明の概要】
【発明が解決しようとする課題】
【０００５】
上述のような桝の設置構造では、埋設配管が深さの深い位置に配置されている場合でも、埋設配管に接続される桝本体に対してメンテナンス作業を行うことが求められている。
【０００６】
特許文献１に記載の設置構造では、深さの深い位置に埋設された埋設配管に対して桝本体が接続され、その桝本体から地上面付近までの長さを有する立ち上がり部を設置することになる。埋設配管の深さが深くなるほど、立ち上がり部の長さが長くなるので、地表面に居る作業者は、長さの長い立ち上がり部を通してメンテナンス作業を行わなければならず、桝本体に対するメンテナンス作業が行い難いものとなる。
【０００７】
特許文献２に記載の設置構造では、埋設配管の深さに応じて、点検用人孔の深さを調整することで、作業者は、点検用人孔の内部に入って、桝本体に対するメンテナンス作業を行うことができる。よって、埋設配管の深さが深くなっても、点検用人孔の深さを深くすることで、桝本体に対するメンテナンス作業が行い難くなるのを防止することができる。しかしながら、特許文献２に記載の設置構造では、深さの深い点検用人孔を構築しなければならず、点検用人孔を埋設するための掘削範囲が大きくなり、掘削土量も増大して、掘削作業の複雑化を招くことになる。
【０００８】
この実情に鑑み、本発明の主たる課題は、桝本体に対するメンテナンス作業を行うことができながら、掘削範囲を小さくして、掘削土量の低減を図り、掘削作業の簡素化を図ることができる桝の設置構造、及び、桝の設置構造の構築方法を提供する点にある。
【課題を解決するための手段】
【０００９】
本発明の第１特徴構成は、地表面側に配置された点検用人孔と、
前記点検用人孔よりも深い位置に埋設された埋設配管に接続された桝本体と、その桝本体から地表面側に延びる立ち上がり部とを有する桝とが備えられ、
前記立ち上がり部は、前記点検用人孔よりも小口径に形成され、前記桝本体と前記点検用人孔の内部とを連通接続する状態で設置されている点にある。
【００１０】
本構成によれば、点検用人孔の内部と桝本体とを立ち上り管により連通接続するので、作業者は、点検用人孔の内部に入ることで、桝本体に連通する立ち上り管を通して、桝本体に対するメンテナンス作業を行うことができる。点検用人孔の深さは、埋設配管よりも立ち上がり部の長さ分だけ浅い位置までとすることができる。これにより、点検用人孔及び立ち上がり部を埋設するための掘削範囲を、点検用人孔よりも小口径の立ち上がり部を基準として設定することができるので、掘削範囲を小さくして、掘削土量の低減を図ることができ、掘削作業の簡素化を図ることができる。
【００１１】
本発明の第２特徴構成は、前記立ち上がり部の上端部が、前記点検用人孔の下端部に連通接続され、
前記立ち上がり部の上端部を閉塞する立ち上がり部用の蓋部が備えられ、
前記点検用人孔は、地表面に開口する上部開口部を閉塞する人孔用の蓋部と、昇降用のタラップとが備えられている点にある。
【００１２】
本構成によれば、作業者は、人孔用の蓋部を取り外して、上部開口部を通して点検用人孔の内部に入ることができる。点検用人孔の内部に入った作業者は、タラップを用いて、点検用人孔の下端部まで降下して立ち上がり部の上端部まで移動し、立ち上がり部用の蓋を取り外すことができる。これにより、作業者は、桝本体に連通する立ち上り管を通して、桝本体に対するメンテナンス作業を行うことができ、桝本体に対するメンテナンス作業をスムーズに且つ効率よく行うことができる。
【００１３】
本発明の第３特徴構成は、第１特徴構成又は第２特徴構成に記載の桝の設置構造を構築する桝の設置構造の構築方法であって、
前記点検用人孔、前記立ち上がり部、及び、前記桝本体を地中内に埋設するための掘削範囲を掘削する掘削ステップと、
前記掘削範囲に前記桝本体及び前記立ち上がり部を設置する第１設置ステップと、
前記掘削範囲において、前記第１設置ステップにて設置された前記立ち上がり部の上端部に相当する高さを第１埋め戻し高さとし、その第１埋め戻し高さまでを埋め戻す第１埋め戻しステップと、
前記掘削範囲のうち、前記第１埋め戻し高さよりも上方側に前記点検用人孔を設置する第２設置ステップと、
前記掘削範囲において、前記第１埋め戻し高さから地表面までを埋め戻す第２埋め戻しステップとを有する点にある。
【００１４】
本構成によれば、掘削ステップを行うことで、立ち上がり部を基準として設定した掘削範囲を適切に掘削することができる。桝本体、立ち上がり部、及び、点検用人孔の全てを一度に設置するのではなく、第１設置ステップ及び第１埋め戻しステップを行うことで、桝本体及び立ち上がり部を設置して第１埋め戻し高さまでの埋め戻しを行うことができる。これにより、第２設置ステップを行う際に、第１埋め戻し高さまで埋め戻した部分を足場等に利用して、点検用人孔を設置することができ、点検用人孔の設置作業の簡素化を図ることができる。
【図面の簡単な説明】
【００１５】
【図１】桝の設置構造の概略構成を示す縦断側面図
【図２】桝の設置構造の構築手順を示す図
【図３】本実施形態の掘削範囲と従来の掘削範囲とを比較するための平面図及び模式的な断面図
【図４】別実施形態における掘削範囲を示す模式的な断面図
【発明を実施するための形態】
【００１６】
本発明に係る桝の設置構造、及び、桝の設置構造の構築方法を図面に基づいて説明する。
この桝の設置構造は、図１に示すように、地中１に埋設された埋設配管３に接続する桝４を設置するための構造である。この設置構造は、例えば、地表面２から所定深さ（例えば、２０００ｍｍ）以上の深さに埋設配管３が埋設されている場合に好適に適用することができる。
【００１７】
この設置構造では、桝４に加えて、点検用人孔５が備えられている。点検用人孔５は、その上端部が地表面２と面一又は略面一になるように、桝４よりも地表面２側に配置されている。点検用人孔５は、上下方向に延びる筒状に形成され、内部に作業者等が入ることが可能な中空状の内部空間５１を有している。点検用人孔５の上端部には、内部空間５１よりも幅狭で地表面２に開口する上部開口部５２が形成され、その上部開口部５２を閉塞する人孔用の蓋部５３が備えられている。点検用人孔５の内部には、内部空間５１を作業者等が昇降するための昇降用のタラップ５４が点検用人孔５の内側壁部に備えられている。点検用人孔５の内部空間５１の内径を、例えば、１４００ｍｍとし、上部開口部５２の内径を、例えば、８００ｍｍとすることができる。
【００１８】
桝４は、埋設配管３に接続される桝本体４１と、その桝本体４１から地表面２側に延びる立ち上がり部４２とが備えられている。桝本体４１の左右両側に埋設配管３が接続され、桝本体４１から上方側に延びるように円管状の立ち上がり部４２が接続されている。桝本体４１は、点検用人孔５（内部空間５１）よりも小口径に形成されている。立ち上がり部４２は、点検用人孔５（内部空間５１）よりも小口径に形成され、桝本体４１と点検用人孔５の内部空間５１とを連通接続する状態で設置されている。立ち上がり部４２の上端部が、点検用人孔５の内部空間５１の下端部に連通接続され、立ち上がり部４２の上端部を閉塞する立ち上がり部用の蓋部４３が備えられている。立ち上がり部４２の内径を、例えば、３００ｍｍとすることができる。
【００１９】
桝本体４１と立ち上がり部４２とを合わせた桝４の上下方向での長さを、例えば、２０００ｍｍ程度の一定の長さとしている。それに対して、点検用人孔５の上下方向での長さは、地表面２から立ち上がり部４２の上端部までの深さに相当する長さとなっている。そのため、埋設配管３がどのような深さに配置されているかによって、点検用人孔５の上下方向での長さを調整している。
【００２０】
桝本体４１のメンテナンス作業を行う場合には、作業者等が、地表面２の人孔用の蓋部５３を取り外すことで、点検用人孔５の上部開口部５２を開口させる。作業者等は、上部開口部５２を通して点検用人孔５の内部空間５１に入り、昇降用のタラップ５４を用いて点検用人孔５の下端部まで下降する。作業者等は、立ち上がり部用の蓋部４３を取り外すことで、立ち上がり部４２の上端部を開口させる。作業者等は、桝本体４１に連通する立ち上がり部４２を通して、桝本体４１に対するメンテナンス作業を行うことができる。
【００２１】
以下、図２に基づいて、桝の設置構造の構築方法について説明する。
この構築方法では、下記のように、掘削ステップ、第１設置ステップ、第１埋め戻しステップ、第２設置ステップ、第２埋め戻しステップの順で各ステップを行う。
【００２２】
（１）掘削ステップ（図２（ａ）参照）
（２）第１設置ステップ（図２（ｂ）参照）
（３）第１埋め戻しステップ（図２（ｃ）参照）
（４）第２設置ステップ（図２（ｄ）参照）
（５）第２埋め戻しステップ（図２（ｅ）参照）
【００２３】
掘削ステップでは、図２（ａ）に示すように、点検用人孔５、立ち上がり部４２、及び、桝本体４１を地中１内に埋設するための掘削範囲Ｋ１を各種の掘削機にて掘削する。点検用人孔５の深さは、埋設配管３よりも桝本体４１及び立ち上がり部４２の長さ分だけ浅い位置までとすることができる。点検用人孔５、立ち上がり部４２、及び、桝本体４１を埋設するための掘削範囲Ｋ１を設定するに当たり、点検用人孔５よりも立ち上がり部４２及び桝本体４１が深い位置に配置され、点検用人孔５よりも小口径の立ち上がり部４２及び桝本体４１を基準として設定することができる。最も深い位置となる立ち上がり部４２の下端部（桝本体４１）の平面視での面積を基準に掘削範囲Ｋ１を設定することができる。この実施形態では、立ち上がり部４２の下端部である桝本体４１における水平方向での端部から地表面２まで延ばした傾斜状のラインＬ１にて囲まれる側面視で台形状の範囲を掘削範囲Ｋ１として設定している。ちなみに、図２（ａ）では、点検用人孔５、立ち上がり部４２、及び、桝本体４１を仮想線にて示している。傾斜状のラインＬ１の水平面に対する傾斜角度については、適宜変更が可能であり、例えば、図２（ａ）よりも水平面に対する傾斜角度を大きくすることができる。
【００２４】
第１設置ステップでは、図２（ｂ）に示すように、掘削範囲Ｋ１に桝本体４１及び立ち上がり部４２を設置する。桝本体４１は、その両側に埋設配管３を接続する状態で設置され、設置された桝本体４１から上方側に延びるように立ち上がり部４２が設置される。
【００２５】
第１埋め戻しステップでは、図２（ｃ）に示すように、掘削範囲Ｋ１において、第１設置ステップにて設置された立ち上がり部４２の上端部に相当する高さを第１埋め戻し高さＴ１とし、その第１埋め戻し高さＴ１までを埋め戻す。
【００２６】
第２設置ステップでは、図２（ｄ）に示すように、掘削範囲Ｋ１のうち、第１埋め戻し高さＴ１よりも上方側に点検用人孔５を設置する。点検用人孔５は、立ち上がり部４２の上端部を内部空間５１の下端部に連通接続する状態で設置される。
【００２７】
第２埋め戻しステップでは、図２（ｅ）に示すように、掘削範囲Ｋ１において、第１埋め戻し高さＴ１から地表面２までを埋め戻す。
【００２８】
掘削範囲Ｋ１について、図３に基づいて説明を加える。
図３（ａ）は、上記特許文献２に記載の如く、内部に埋設配管３に接続する桝を有する点検用人孔６の深さを埋設配管３が配置されている深さに対応する深さに調整した場合に、点検用人孔６を地中１内に埋設するための掘削範囲Ｋ２を示している。それに対して、図３（ｂ）では、本実施形態の如く、点検用人孔５、立ち上がり部４２、及び、桝本体４１を地中１内に埋設するための掘削範囲Ｋ１を示している。
【００２９】
図３（ａ）では、掘削範囲Ｋ２の平面図を上方側に示しており、その平面図においてＡ−Ａ切断線による模式的な断面図を下方側に示している。図３（ｂ）では、掘削範囲Ｋ１の平面図を上方側に示しており、その平面図においてＢ−Ｂ切断線による模式的な断面図を下方側に示している。図３（ａ）の掘削範囲Ｋ２と図３（ｂ）の掘削範囲Ｋ１との大きさを比較するために、図３（ｂ）では、図３（ａ）の掘削範囲Ｋ２の端部を下方側に延長して点線にて示している。図３（ａ）では、掘削後に点検用人孔６を設置するだけであるので、点検用人孔６を実線にて示している。それに対して、図３（ｂ）では、掘削後に桝４（桝本体４１及び立ち上がり部４２）を先に設置し、一部を埋め戻した後に点検用人孔５を設置するので、先に設置する桝４を実線にて示し、一部を埋め戻した後に設置する点検用人孔５を一点鎖線にて示している。
【００３０】
図３（ａ）に示すものでは、立ち上がり部４２及び桝本体４１よりも大口径の点検用人孔６を基準として掘削範囲Ｋ２を設定する必要がある。点検用人孔６の下端部の平面視での面積を基準に掘削範囲Ｋ２を設定することができる。これにより、点検用人孔６の下端部における水平方向での端部から地表面２まで延ばした傾斜状のラインＬ２にて囲まれる側面視で台形状の範囲を掘削範囲Ｋ２に設定されている。また、図３（ａ）の上方側の平面図にて示すように、平面視においては、ラインＬ２が地表面２と交差する部分Ｌ２ａにて囲まれた矩形状の範囲が掘削範囲Ｋ２となる。
【００３１】
それに対して、本実施形態のものでは、上述の如く、図３（ｂ）の下方側のＢ−Ｂ断面図にて示すように、点検用人孔５よりも小口径の立ち上がり部４２及び桝本体４１を基準として掘削範囲Ｋ１を設定することができる。これにより、桝本体４１の下端部における水平方向での端部から地表面２まで延ばした傾斜状のラインＬ１にて囲まれる側面視で台形状の範囲を掘削範囲Ｋ１に設定することができる。また、図３（ｂ）の上方側の平面図にて示すように、平面視においては、ラインＬ１が地表面２と交差する部分Ｌ１ａにて囲まれた矩形状の範囲が掘削範囲Ｋ１となる。
【００３２】
図３に示すように、図３（ｂ）にて示す本実施形態の掘削範囲Ｋ１（Ｌ１ａにて囲まれた範囲）は、図３（ａ）に示す掘削範囲Ｋ２（Ｌ２ａにて囲まれた範囲）よりも小さい範囲とすることができ、掘削土量の低減を図り、掘削作業の簡素化を図ることができる。
【００３３】
〔別実施形態〕
本発明の他の実施形態について説明する。尚、以下に説明する各実施形態の構成は、それぞれ単独で適用することに限らず、他の実施形態の構成と組み合わせて適用することも可能である。
（１）上記実施形態では、点検用人孔５、立ち上がり部４２、及び、桝本体４１を地中１内に埋設するための掘削範囲Ｋ１について、図３（ｂ）に示すように、桝本体４１の下端部における水平方向での端部から地表面２まで延ばした傾斜状のラインＬ１にて囲まれる側面視で台形状の範囲を掘削範囲Ｋ１に設定している。掘削範囲Ｋ１は、立ち上がり部４２及び桝本体４１を基準に設定するものであればよく、形状等は適宜変更が可能であり、例えば、図４に示すように、掘削範囲Ｋ３，Ｋ４を設定してもよい。
【００３４】
図４に示すものでは、点検用人孔５の下端部を基準とする設定深さＦ１よりも深い位置に位置する掘削範囲Ｋ３と、設定深さＦ１から地表面２までの掘削範囲Ｋ４とが掘削範囲として設定されている。掘削範囲Ｋ３は、設定深さＦから桝本体４１及び立ち上がり部４２の形状に対応して下方側に延びる側面視で矩形状の範囲に設定されている。掘削範囲Ｋ４は、設定深さＦ１での点検用人孔５の下端部における水平方向での端部から地表面２まで延ばした傾斜状のラインＬ３にて囲まれた側面視で台形状の範囲に設定されている。
【００３５】
（２）上記実施形態では、立ち上がり部４２の上端部が、点検用人孔５の下端部に連通接続されているが、立ち上がり部４２の上端部が点検用人孔５の内部空間５１に連通接続されていればよい。
【符号の説明】
【００３６】
１          地中
２          地表面
３          埋設配管
４          桝
５          点検用人孔
６          点検用人孔
４１        桝本体
４２        立ち上がり部
４３        立ち上がり部用の蓋部
５２        上部開口部
５３        人孔用の蓋部
５４        昇降用のタラップ
Ｋ１        掘削範囲
Ｔ１        第１埋め戻し高さ
【図１】
2020007861.tif 000003
【図２】
2020007861.tif 000004
【図３】
2020007861.tif 000005
【図４】
2020007861.tif 000006